(57)【要約】【目的】ブラウン管を構成するパネルガラスを原料とするパネルガラスカレットを有効に再利用する方法を提供すること。【構成】  上記課題を解決するために請求項１記載に係る照明具は以下の工程により製作した。    照明具の形状に対応した鋳型を製作する工程。    パネルガラスカレットを鋳型に詰め加熱・溶融する工程。    徐冷工程及び鋳物を型から取り出す工程。    ＬＥＤを用いた発光回路を鋳物に装備する工程。  又、請求項２記載に係る照明具は、請求項１記載の照明具において発電装置としてソーラーパネルを使用した。【選択図】        図１
2009099374.tif 000002
【特許請求の範囲】
【請求項１】
照明具の形状に対応した鋳型を製作する工程、
パネルガラスカレットを鋳型に詰め加熱・溶融する工程、
徐冷及び鋳物を型から取り出す工程、
ＬＥＤを用いた発光回路を鋳物に装備する工程、
により製作されたブラウン管パネルガラスを利用した照明具。
【請求項２】
発電装置としてソーラーパネルを備えた請求項１記載のブラウン管パネルガラスを利用した照明具。
【発明の詳細な説明】
【技術分野】
【０００１】
本発明はブラウン管のリサイクル、より詳しくはブラウン管のパネルガラスを再利用した照明具に関する。
【背景技術】
【０００２】
我が国における廃棄物処理の問題は近年ますます深刻化しつつあり、焼却時のダイオキシン発生、埋立地の逼迫等が社会問題として大きくクローズアップされている。これら廃棄物の主要な発生源としては、容器包装材、建材、自動車、家電等が挙げられる。
【０００３】
このうち家庭から廃棄される使用済み家電製品の主なものは、冷蔵庫、洗濯機、テレビ、エアコンのいわゆる「４家電」であり、上記４家電を対象として特定家庭用機器再商品化法、いわゆる「家電リサイクル法」が２００１年４月から施行されている。リサイクル率としては冷蔵庫５０％、洗濯機５０％、テレビ５５％、エアコン６０％の目標が定められ、またこれらリサイクル率にカウントすることができるのは有価物として販売されたもののみで、リサイクル事業者が処理費用を支払って処理を委託する、いわゆる「逆有償品」は対象外とされることが規定されている。
【０００４】
かようにテレビに関しては、そのリサイクル率として５５％重量が法定基準と定めている。これに対して、テレビの構成部品のうちブラウン管は、５５％前後の構成比率を有し、全重量の５０〜６０％の重量を占めることから、ブラウン管をリサイクルすることが同法を遵守するうえで重要となる。
【０００５】
ブラウン管のリサイクルは現在以下のような方法によっている。すなわち手解体でテレビセットを分解してブラウン管を取り出し、ブラウン管ネック部の除去、補強バンドの除去、ブラッシングによるラベル・コーティング等表面施行物の除去を行ないブラウン管単体を取り出す。次に画像面側のパネル部と背面側のファンネル部とはガラス成分が異なるため別々に回収する必要があり、ブラウン管単体を分割機（Ｐ／Ｆ分割機）によってパネル部とファンネル部に分割する。その後、パネル部は内面に形成されているアルミ蒸着膜と蛍光体を吸引拭き取りによって取り除き、ファンネル部はそのままの状態で各々減容破砕をかける。最後に乾式洗浄を行い、残っている表面異物を除去し異物付着の無いパネルガラスカレット、ファンネルガラスカレットとしてブラウン管メーカーに有価で引き取ってもらう。
【０００６】
上記ブラウン管のリサイクル方法に関する特許文献として、表面施行物の除去に関するものとして特開２００２−１８３８０等があり、アルミ蒸着膜や蛍光体などの除去方法に関するものとして特開２００４−２０７００２等がある。又、ガラスカレットの再利用に関する特許文献として特開２００６−２５６９１５等がある。
【特許文献１】特開２００２−１８３８０号公報
【特許文献２】特開２００４−２０７００２号公報
【特許文献３】特開２００６−２５６９１５号公報
【発明の開示】
【発明が解決しようとする課題】
【０００７】
上述の「洗浄済みカレット」はブラウン管ガラスの原材料以外に再利用されていない。ところが現在ブラウン管は国内では生産されておらず、海外のブラウン管ガラス工場に輸出し再利用することが行われている。しかし「バーゼル条約」で「ブラウン管ガラスのくず」が越境移動の規制対象品目に掲げられていることから、「洗浄済みカレット」が含まれるかどうかが課題となっている。
【０００８】
そこで本発明はブラウン管のリサイクルに関する上記問題点を解決すべく、パネルガラスカレットを有効に再利用する方法を提供することを目的とする。
【課題を解決するための手段】
【０００９】
上記課題を解決するために請求項１記載に係る照明具は以下の工程により製作した。
【００１０】
照明具の形状に対応した鋳型を製作する工程。
【００１１】
パネルガラスカレットを鋳型に詰め加熱・溶融する工程。
【００１２】
徐冷工程及び鋳物を型から取り出す工程。
【００１３】
ＬＥＤを用いた発光回路を鋳物に装備する工程。
【００１４】
又、請求項２記載に係る照明具は、請求項１記載の照明具において発電装置としてソーラーパネルを使用した。
【発明の効果】
【００１５】
本発明によれば従来はブラウン管ガラスの原料以外に再利用の方法が無かったブラウン管ガラスを照明具として再利用でき、つまりは「洗浄済みカレット」を国内で再利用することが可能となるのである。
【発明を実施するための最良の形態】
【００１６】
以下、好ましい発明の一実施形態につき図面を参照しながら述べる。
【００１７】
請求項１記載の発明は四工程により製作されるものである。以下各工程ごとに概説する。                                                                              
【００１８】
第一工程：照明具の形状に対応した鋳型を製作する工程
耐火石膏を用いて照明具の形状に対応した鋳型を作成する。照明具の形状は特に限定    を受けないが、ＬＥＤを用いた発光回路を装備可能な空間を設ける必要がある。          
【００１９】
第二工程：パネルガラスカレットを鋳型に詰め加熱・溶融する工程
いわゆるコールドキャストと呼ばれる方法である。加熱方法は電気炉により、加熱温    度は８５０℃から９００℃程度が好ましい。                                          
【００２０】
第三工程：徐冷工程及び鋳物を型から取り出す工程
高温で溶融したあと、徐々に温度を下げて常温に戻す。その際、急激に冷やすとガラ    スの中に歪みが生じる。そこで一定の温度カーブでガラスを徐冷していくことが好ま    しく、レアー（徐冷炉）に入れて徐冷を行うことが好ましい。徐冷後鋳型を破砕し鋳    物を取り出す。                                                                    
【００２１】
第四工程：ＬＥＤを用いた発光回路を鋳物に装備する工程
ＬＥＤ（発光ダイオード）を用いた回路を第三工程で製作した鋳物に装備する。図１    当該回路を示す基本回路構成図である。図中１はソーラーパネル、２はコントロー      ラーである。コントローラー２内には制御ダイオード４及びバッテリー５が装備さ      れ、ＬＥＤ３に給電するものである。                                                
【００２２】
【図面の簡単な説明】
【００２３】
【図１】基本回路構成図
【符号の説明】
【００２４】
１・・ソーラーパネル
２・・コントローラー
３・・ＬＥＤ
４・・制御ダイオード
５・・バッテリー
【図１】
2009099374.tif 000003